(57)【特許請求の範囲】
【請求項１】
光ファイバケーブルが接続される箱体内に、光ファイバ余長分を収納する光ファイバ収納ケースを取り付ける光ファイバ収納ケース取付構造であって、
前記光ファイバ収納ケースは、前記箱体の開口部に対して光ファイバ収納部全体が露出するよう平行に配置されると共に、前記開口部から突出した位置まで前記平行な状態で引き出す引き出し機構を介して前記箱体内に取り付けられ、
前記引き出し機構が、箱体内に開口部方向に光ファイバ収納ケースを左右から挟持するように形成した２組の案内レールと、当該案内レール上を走行するよう前記光ファイバ収納ケースの後部に形成された走行片から成り、
更に前記案内レールの先端には、引き出した光ファイバ収納ケースを保持するために、前記走行片を落とし込む落とし込み段部を備えて成ることを特徴とする光ファイバ収納ケース取付構造。
【請求項２】
２組の案内レールのうち少なくとも１組が、走行片の上下移動を規制する挟持レールである請求項１記載の光ファイバ収納ケース取付構造。
【発明の詳細な説明】
【０００１】
【発明の属する技術分野】
本発明は、例えば光伝送方式のＣＡＴＶ伝送路の途中に設置されるトランクアンプ等の箱体内部に装着される光ファイバ収納ケースに関し、特にその取付構造の改良に関する。
【０００２】
【従来の技術】
光ファイバケーブル（以下光ケーブルと称する）は同軸ケーブルに比べて大容量の情報を伝送できるため、ＣＡＴＶシステムにおいても利用されているが、この光ケーブルを利用したＣＡＴＶシステムでは、幹線の途中で信号を増幅する場合や、幹線から信号を分岐して加入者宅へ送る場合、光信号を電気信号に変換する操作が必要となる。この場合、伝送路の途中に介在させて信号を増幅する光トランクアンプでは、電気信号に変換した信号を再度光信号に変換して送出している。
【０００３】
光トランクアンプは、そのため内部に光信号を電気信号に変換する光電変換部、信号増幅回路等を有し、接続された入力側光ケーブルから光ファイバを引き出し、光電変換部から伸びた光ファイバと接続している。また、増幅した信号を光ファイバで出力し、出力側光ファイバに連結している。そして、連結作業の際に必要な光ファイバ余剰分を収納する光ファイバ収納ケースを有している。この光ファイバ収納ケースは収納操作をし易いように光トランクアンプ筐体内に面ファスナ等で着脱可能に設置され、光ファイバの収納操作をする際には取り外して行っていた。
【０００４】
【発明が解決しようとする課題】
上記光トランクアンプは信号伝送路の途中に設けられるため、電線や電話線と同様に道路に沿った野外の高所に設置される。そのため、地上では簡単な操作であっても、高所での操作となると厄介な作業となる場合が多く、余剰の光ファイバを光ファイバ収納ケースに収納する操作もその厄介な操作の１つであった。
【０００５】
そこで、本発明は上記問題点に鑑み、光ファイバの収納操作を容易に行うことのできる光ファイバ収納ケースの取付構造を提供することを課題とする。
【０００６】
【課題を解決するための手段】
上記課題を解決するため、請求項１の発明に係る光ファイバ収納ケース取付構造は、光ファイバケーブルが接続される箱体内に、光ファイバ余長分を収納する光ファイバ収納ケースを取り付ける光ファイバ収納ケース取付構造であって、前記光ファイバ収納ケースは、前記箱体の開口部に対して光ファイバ収納部全体が露出するよう平行に配置されると共に、前記開口部から突出した位置まで前記平行な状態で引き出す引き出し機構を介して前記箱体内に取り付けられ、前記引き出し機構が、箱体内に開口部方向に光ファイバ収納ケースを左右から挟持するように形成した２組の案内レールと、当該案内レール上を走行するよう前記光ファイバ収納ケースの後部に形成された走行片から成り、更に前記案内レールの先端には、引き出した光ファイバ収納ケースを保持するために、前記走行片を落とし込む落とし込み段部を備えて成ることを特徴とする。
【０００８】
請求項２の発明は、請求項１の発明において、２組の案内レールのうち少なくとも１組が、走行片の上下移動を規制する挟持レールであることを特徴とする。
【０００９】
【発明の実施の形態】
以下、本発明を具体化した実施の形態を、図面に基づいて詳細に説明する。図１は本発明に係る光ファイバ収納ケース（以下収納ケースと称する）を設けた箱体の１例を示す正面図であり、光ケーブルを使用したＣＡＴＶ伝送路の途中に設置される光トランクアンプの蓋体（図示せず）を外した状態の正面図を示している。図において、１は光トランクアンプの本体であり、光ファイバの接続部２を左右にそれぞれ２箇所づつ有し、図示左上部の接続部２から光ケーブル３を挿入し固定している。そして、本体１の略中央に収納ケース４が設けられている。
【００１０】
本体１に接続された光ケーブル３は、被覆部が接続部２に固定され、内部のテンションメンバ５が引き留め金具６に固定されている。そして、光ケーブル３から引き出された光ファイバ７は本体１内の信号増幅回路部９に光コネクタ１０を介して接続された増幅器側光ファイバ１１に融着接続されている。その融着接続部１２の前後の双方の光ファイバ余長部７ａ，１１ａが収納ケース４に収納されている。
融着接続部１２は融着部保護スリーブ１３により保護されて、収納ケース４内に設けられた固定部１４に装着固定されている。
【００１１】
図２は図１に示す収納ケース４の斜視図であり、（ａ）は蓋を閉じた状態、（ｂ）は開けた状態を示している。図示するように、収納ケース４は光ファイバ収納部４ａを３段有し、最前部には蓋体４ｂが設けられ、それぞれ上辺に設けられた蝶番８により図２（ｂ）に示すように開閉可能に形成されている。１６は光ファイバを挿入或いは引出したりする挿通口であり、左右の上端部に設けられている。各収納部４ａ内には、収納操作を案内する略楕円状の案内壁１７と、融着接続部を保持固定する固定部１４が形成され、融着接続部１２を固定して光ファイバを収納し易いように形成されている。
【００１２】
また、１８は収納ケース４を本体１に保持させると共に、前後方向の移動を案内する案内板であり、収納ケース４の左右に設けられ、左右対称に金属板をプレス成形して一体形成され、収納ケース４の裏面に固着されている。そして、双方の案内板１８の後端部に横方向に折り曲げて突接させた上下２組の走行片１９ａ，１９ｂが設けられている。この走行片１９ａ，１９ｂは、後述するように本体の案内レールに係合して、収納ケースの前後動を案内するためのものであり、そのうち下部の走行片１９ｂには収納ケース４を本体に固定する際に使用するボルトを挿通するための挿通孔２０が形成されている。
【００１３】
図３は図１のＡ−Ａ断面図を示し（ａ）は収納ケースを引き出した状態、（ｂ）は収納した状態を示している。また、図４，図５は図１のＢ−Ｂ断面図を示し、図４は収納ケースを引き出した状態、図５は収納した状態を示している。但し、接続されている光ケーブルや光ファイバは省略してある。
図において、２１は収納ケース４を保持するするように収納ケース左右に平行に立設された保持板であり、収納ケース４を挟むように本体背部から前面開口部１５に向けて平行に設けられ、その上辺及び板内に、前後方向に向けて互いに平行な２組の案内レール２２ａ，２２ｂが形成されている。この案内レールのうち板内に形成された下段の案内レール２２ｂは、保持板２１を打ち抜き形成した切り欠き部２４として形成され、上下から走行片１９ｂを挟持して案内する挟持レールとなっている。この挟持レールにより収納ケース４が上方に移動するのを規制している。
【００１４】
また、２組の案内レール２２ａ，２２ｂは、収納ケース４が本体１の開口部１５から突出した位置まで引き出される長さで形成され、その先端には落とし込み段部２３が設けられ、段部の手前には前後動をスムーズに行う為のテーパ部２３ａが形成されている。そして、収納ケース４の背部に設けられた走行片１９ａ，１９ｂが、それぞれ案内レール２２ａ，２２ｂ上に載置されている。
【００１５】
次に、収納ケース４の移動操作を説明する。まず、本体１内に収納固定する場合は、収納ケース４を案内レール２２の最後部に配置し、下段の走行片１９ｂに設けた挿通孔２０にボルト２６を挿通し、ボルト２６により本体１の背面に螺着固定すればよい。
引き出す操作は、そのボルト２６を本体１から外して、収納ケース４を手前に引く。この操作により、それぞれの走行片１９ａ，１９ｂが案内レール２２ａ，２２ｂ上を摺動移動して引き出される。そして、案内レール最先端に近づくとテーパ部２３ａにより走行片１９ａ，１９ｂが徐々に落とし込まれ、最終的に段部２３に落とし込まれて係止する。こうして、収納ケース４は引き出した状態で保持固定される。また、本体内に収納する操作は、走行片１９が段部２３から外れるように収納ケース４を持ち上げ、係止を解除した後、押し込み操作をすれば良い。
【００１６】
このように、引き出し機構を形成することで、収納ケース４はスムーズに移動でき、然も途中走行片即ち収納ケースが外れることがなく、引き出し或いは収納操作を容易に行うことができる。また、開口面より突出した位置まで引き出すことができ、引き出した際に収納ケースは係止し保持されるので、光ファイバに無理な応力を加えることなくスムーズな収納操作をすることができる。更に、開口部に向けてレール上を摺動移動させて引き出すため、箱体内に配置した体制を変えることなく引き出すことができ、光ファイバに無理な応力が加わらない。
【００１７】
尚、上記実施の形態にあっては、収納部を３段に形成しているが、更に多く設けても良いし、１段であっても良い。また、引き出し機構は、上記摺動移動構造でなくとも良く、例えばパンタグラフのごとき伸縮機構を用いることもできる。また、光トランクアンプについて述べたが、分岐器或いは他の光ファイバ連結部を有する箱体に関しても効果的に適用することができる。
【００１８】
【発明の効果】
以上詳述したように、請求項１の発明によれば、箱体内に設けられた光ファイバ収納ケースが、箱体開口部から突出した状態で保持されるので、光ファイバに無理な応力を加えること無くスムーズに光ファイバの収納操作をすることができる。
【００１９】
また、案内レールに案内されて引き出されるので、引き出し操作を容易に行うことができるし、体制を変えることなく光ファイバ収納部を箱体開口部に露出させる状態で引き出すことができ、光ファイバに無理な応力が加わらない。
請求項２の発明によれば、請求項１の効果に加えて、収納ケースが案内レール上を上下動することが無く、収納ケースを操作する際に案内レールから外れることがない。
【図面の簡単な説明】
【図１】本発明の実施の形態の１例を示し、光ファイバ収納ケースを収納したトランクアンプの正面図である。
【図２】図１の光ファイバ収納ケースの斜視図であり（ａ）は閉じた状態、（ｂ）は収納部の１つを開けた状態を示している。
【図３】図１のＡ−Ａ断面図であり、（ａ）は光ファイバ収納ケースを引き出して突出させた状態、（ｂ）はトランクアンプ内に収納した状態を示している。
【図４】図１のＢ−Ｂ断面図であり、光ファイバ収納ケースを引き出して突出させた状態を示している。
【図５】図１のＢ−Ｂ断面図であり、光ファイバ収納ケースをトランクアンプ内に収納した状態を示している。
【符号の説明】
１・・光トランクアンプ本体、２・・光ファイバ接続部、３・・光ケーブル、４・・光ファイバ収納ケース、７・・光ファイバ、１２・・融着接続部、１５・・開口部、１８・・案内板、１９ａ，１９ｂ・・走行片、２１・・保持板、２２ａ・・案内レール、２２ｂ・・案内レール（挟持レール）、２３・・段部、２４・・切り欠き部。
【図１】
0004290852.tif 000002
【図２】
0004290852.tif 000003
【図３】
0004290852.tif 000004
【図４】
0004290852.tif 000005
【図５】
0004290852.tif 000006